(57)【要約】【課題】通帳の正確な冊数を自動で計数することによって、係員の手作業による通帳冊数の計数を省いて、係員の負担を減少させて作業効率を向上させるための手段を提供する。【解決手段】磁気を帯びた磁気帯を形成した媒体と、該媒体を格納する媒体スタッカと、該媒体スタッカ内の媒体の磁気帯に対向する位置に移動可能な磁気センサとを設け、前記磁気センサにより、前記磁気帯の磁気を検出し、該検出した磁気によって媒体の数を計数することを特徴とする。【選択図】        図１
2007066250.tif 000002
【特許請求の範囲】
【請求項１】
磁気を帯びた磁気帯を形成した媒体と、
該媒体を格納する媒体スタッカと、
該媒体スタッカ内の媒体の磁気帯に対向する位置に移動可能な磁気センサとを設け、
前記磁気センサにより、前記磁気帯の磁気を検出し、該検出した磁気によって媒体の数を計数することを特徴とする媒体取扱装置。
【請求項２】
請求項１において、
前記磁気センサにより検出される前記媒体間の標準的な検出時間間隔を基準時間間隔として格納する手段と、
前記磁気センサによって媒体を検出してから次に媒体を検出するまでの時間を計測する手段と、
前記格納している基準時間間隔を読み出す手段と、
前記読み出した基準時間間隔と前記計測した時間とを比較する手段と、
該比較の結果、前記計測した時間が前記基準時間間隔よりも長い場合、媒体の格納方向が誤っていると判定する手段とを備えた制御部を有することを特徴とする媒体取扱装置。
【請求項３】
媒体を格納する媒体スタッカと、
先端を自由端とした触針と、該触針に接触する基材と、前記触針と前記基材との接離を検出する検出部とを有する触針センサを設け、
該触針センサを、前記媒体スタッカ内で、前記媒体の厚さ方向に移動可能に構成し、
前記触針と前記基材との接離を検出部が検出した回数によって前記媒体の数を計数することを特徴とする媒体取扱装置。
【発明の詳細な説明】
【技術分野】
【０００１】
本発明は、金融機関の自動取引装置等に搭載され、スタッカ内に格納されている媒体の残数を計数して管理する通帳取扱装置等の媒体取扱装置に関する。
【背景技術】
【０００２】
従来の媒体取扱装置としての通帳取扱装置は、通帳の発行処理において、通帳スタッカに格納した通帳を発行したときに、押圧部材がニアエンド検出センサの近傍まで移動したことをニアエンド検出センサによって検出して係員に通知し、係員が通帳を補充しないままさらに通帳が発行されて通帳スタッカに通帳が無くなったときに、エンド検出センサによって通帳が無くなったことを検出して係員に通知している（例えば、特許文献１参照。）。
【特許文献１】特開平１１−２０９８７号公報（第６頁段落００７１−第７頁段落００７２、第６図）
【発明の開示】
【発明が解決しようとする課題】
【０００３】
しかしながら、上述した従来の技術においては、通帳スタッカに格納された通帳の残り検出するためのセンサが、ニアエンド検出センサまたはエンド検出センサのみであるため、通帳の正確な冊数を計数することができず、１日の業務が終了した後等で通帳スタッカ内の通帳冊数を確認する場合に、係員が通帳スタッカを引出して手作業で通帳を数えなくてはならず、係員にとっての負担が増大して作業効率が低下するという問題がある。
【０００４】
本発明は、上記の問題点を解決するためになされたもので、通帳の正確な冊数を自動で計数することによって、係員の手作業による通帳冊数の計数を省いて、係員の負担を減少させて作業効率を向上させるための手段を提供することを目的とする。
【課題を解決するための手段】
【０００５】
本発明は、上記課題を解決するために、磁気を帯びた磁気帯を形成した媒体と、該媒体を格納する媒体スタッカと、該媒体スタッカ内の媒体の磁気帯に対向する位置に移動可能な磁気センサとを設け、前記磁気センサにより、前記磁気帯の磁気を検出し、該検出した磁気によって媒体の数を計数することを特徴とする。
【発明の効果】
【０００６】
これにより、本発明は、磁気センサによって検出した磁気によって媒体の数を計数し、係員の手作業による媒体の計数の手間を省いて係員の負担を減少させるので、係員の作業効率を向上させることができるという効果が得られる。
【発明を実施するための最良の形態】
【０００７】
以下に、図面を参照して本発明による通帳取扱装置の実施例について説明する。
【実施例１】
【０００８】
図１は実施例１の通帳を示す説明図、図２は実施例１の通帳取扱装置を示すブロック図、図３は実施例１の通帳取扱装置を示す構成図、図４は実施例１の通帳スタッカを上方から見た様子を示す構成図、図５は実施例１の磁気センサを示す説明図である。
図１において、１は媒体としての通帳であり、口座番号等の通帳データを記録可能な磁気ストライプ２を有する。
【０００９】
３は磁気帯としての着色帯であり、通帳１の表紙と背表紙とをつなぐ側面（通帳背部４という。）にまたがるように通帳１の所定の位置に設けられ、係員が通帳の種類を判別しやすいように通帳１の他の部分とは異なる色で印刷されている。
また、着色帯３の印刷には、磁気を帯びた粒子を含んだ磁気インクが用いられている。
図２において、５は媒体取扱装置としての通帳取扱装置である。
【００１０】
６は制御部であり、通帳取扱装置５の各部を制御する。
７は記憶部であり、通帳スタッカ１８に格納した通帳１の冊数を記憶する冊数記憶領域が確保され、制御部６が実行するプログラムやそれに用いる各種のデータおよび制御部６による処理結果等を格納する。
８はモータ駆動回路であり、後述する磁気センサ２５を移動させるためのモータ等のセンサ移動機構９を駆動する動作指示を制御部６から受け、センサ移動機構９に駆動電力を供給する。
【００１１】
１０は出力判定回路であり、磁気センサ２５の出力値を判定することによって磁気センサ２５が通帳１の上を通過したことを検出する機能を有する。
図３において、１１は通帳挿入部であり、取引を行うときに顧客が通帳１を挿入し、取引が終了したときに顧客に挿入された通帳１を排出する挿入口１１ａを有する。
１２は磁気ストライプリードライトユニットであり、通帳１の磁気ストライプ２に記録された通帳データを読み書きする機能を有している。
【００１２】
１３はプリント部であり、通帳１に印字するための印字ヘッド１４を備えている。
１５は搬送路であり、対向配置されたローラあるいはベルト等により構成され、通帳１を挟持して搬送する。
１６は通帳取込箱であり、取引が終了して挿入口１１ａに排出した通帳１を顧客が取り忘れた場合に、その通帳を引き込んで取込み保管する。
【００１３】
１７は通帳一時保留部であり、通帳繰越が発生した場合に新しい通帳１を発行するまでの間、古い通帳１を一時的に保管する。
図４において、１８は媒体スタッカとしての通帳スタッカであり、顧客に発行する新しい通帳１を格納し、係員が通帳１を補充する際に通帳取扱装置５から取り外せるように着脱可能に構成される。
【００１４】
本実施例の通帳スタッカ１８に補充される通帳１は、通帳背部４を上に向けて斜めにした状態で格納される。
１９は通帳押さえ板であり、バネ２０を取付けることによって通帳スタッカ１８内に格納された通帳１を常に繰出ローラ２１に押圧する機能を有すると共に、後述する磁気センサ２５の移動を規制するストッパとして機能する。
【００１５】
繰出ローラ２１は、通帳押さえ板１９によって押し付けられた通帳１を搬送路１５に繰出す機能を有する。
図５において、２５は磁気センサであり、周囲の磁気の変化によって電気抵抗が変化する磁気抵抗素子２５ａ、２５ｂを通帳１の厚さ方向に沿って通帳１の厚みよりも狭い間隔で配置し、通常格納されている通帳１の着色帯３に接触し、格納時に不揃いになって突出した通帳１の通帳背部４を押圧するように構成されたスプリング２６が取付けられており、センサ移動機構９によって通帳１の厚さ方向に往復移動可能に構成され、着色帯３を走査したときに検知した磁気を電圧に変換して出力する機能を有する。
【００１６】
磁気センサ２５は、通帳スタッカ１８の繰出ローラ２１の側の端から通帳押さえ板１９に当るまでの範囲を移動する。
磁気センサ２５の出力は、磁気抵抗素子２５ａ、２５ｂと着色帯３との位置関係および磁気の強さに影響され、磁気抵抗素子２５ａの方が磁気抵抗素子２５ｂよりも着色帯３に近いときは磁気センサ２５の出力値は減少し、磁気抵抗素子２５ｂの方が磁気抵抗素子２５ａよりも着色帯３に近いときは磁気センサ２５の出力値は増加し、磁気抵抗素子２５ａ、２５ｂが着色帯３から等間隔の位置にあるときは磁気抵抗素子２５ａ、２５ｂによる出力の影響がないため磁気センサ２５の出力値は０（平常状態という。）となる。
【００１７】
上記の通帳取扱装置５の記憶部７には、出力判定回路１０によって通帳１を検出する基準としての平常状態の磁気センサ３の出力値よりも低い出力値（低出力判定値という。）と平常状態の出力値よりも高い出力値（高出力判定値という。）を格納する他、通帳スタッカ１８に格納する通帳１の厚み情報や、磁気センサ２５の移動速度から算出した一の通帳から次の通帳を検出するまでの通帳間の時間間隔にマージン時間を加えた標準的な検出時間間隔を基準時間間隔Ｔ１とし、磁気センサ２５の移動速度から算出した磁気センサ２５が最後に通帳１を検出してから通帳押さえ板１９に当って止まるまでの時間にマージン時間を加えた規定移動時間Ｔ３等を格納する。
【００１８】
マージン時間は、磁気センサ２５が着色帯３の磁気を検知する時間間隔を修正するためのもので、磁気センサ２５は着色帯３に接触しながら移動するために実際の移動速度は、設定された移動速度よりも遅くなることを考慮した値に決められる。
また、記憶部７には通常の通帳残冊数計数処理実行プログラムに加えて、磁気センサ２５の出力値を出力判定回路１０で判定して磁気センサ２５が通帳１の上を通過したことを検出する通帳検出処理実行プログラムと通帳スタッカ１８内の通帳１のセット方向を確認するためのセット方向確認処理実行プログラムとが格納された本実施例の通帳残冊数計数処理実行プログラムを格納し、制御部６と通帳残冊数計数処理実行プログラムとにより本実施例のハードウェアとしての各種の機能手段が形成される。
【００１９】
上述した構成の作用について、通帳の残冊数計数処理の動作を説明する。
係員が通帳スタッカ１８を取り外して新たに通帳１を補充して通帳取扱装置５に装着した後や１日の業務が終了した後等で通帳スタッカ１８内の通帳冊数の確認を行う場合に、制御部６はモータ駆動回路８によってセンサ移動機構９を駆動し、磁気センサ２５を繰出ローラ２１の側の端から図５に示すＡ方向、つまり通帳１の厚さ方向に移動させる。
【００２０】
移動する磁気センサ２５は、磁気抵抗素子２５ａから着色帯３に近づくため、図６に示すように磁気センサ２５の出力値は徐々に減少し、磁気抵抗素子２５ａの直下が着色帯３の頂点となったとき、つまり磁気抵抗素子２５ａが最も着色帯３に近づいたときに磁気センサ２５の出力値は最小値となる。
さらに磁気センサ２５が移動すると、磁気抵抗素子２５ａは着色帯３から徐々に離れると共に、磁気抵抗素子２５ｂは着色帯３に近づいていき、磁気センサ２５の出力値は徐々に増加して着色帯３の頂点から磁気抵抗素子２５ａ、２５ｂまでの間隔が等しくなったときに出力値は０となり、磁気抵抗素子２５ｂの直下が着色帯３の頂点となったとき、つまり磁気抵抗素子２５ｂが最も着色帯３に近づいたときに磁気センサ２５の出力値は最大値となる。
【００２１】
そして、磁気センサ２５が移動して磁気抵抗素子２５ａは次の通帳１の着色帯３に近づいていき、上記と同様にして出力値が変動する。
磁気センサ２５の移動を開始するときに、制御部６は同時に記憶部７に格納した低出力判定値と高出力判定値とを読み出し、出力判定回路１０によって磁気センサ２５が出力する出力値と、読み出した低出力判定値または高出力判定値とを比較する。
【００２２】
制御部６は、出力値が低出力判定値を下回る値まで減少してから高出力判定値を上回る値まで増加したことを認識した後に、出力値の増加が止まったことを認識、つまり出力値が最大値となったことを認識したときに通帳１を検出し、記憶部７の冊数記憶領域に加算して計数する。
なお、制御部６は磁気センサ２５が通帳押さえ板１９に当って止まったことを認識したときに、記憶部７の冊数記憶領域に計数した通帳１の冊数を読み出し、読み出した冊数を図示しない表示部に表示し、係員によって表示部に表示された内容が確認された後に、冊数記憶領域に加算していた冊数をリセットして０にする。
【００２３】
次に通帳１のセット方向の確認処理について説明する。
磁気センサ２５を移動させている間に制御部６は、記憶部７に格納した基準時間間隔Ｔ１を読み出し、磁気センサ２５の出力値が低出力判定値を下回る値まで減少してから高出力判定値を上回る値まで増加したことを認識すると共に、出力値が最大値となったことを認識して通帳１を検出してから次に通帳１を検出するまでの時間間隔Ｔ２をタイマー機能によって計測し、読み出した基準時間間隔Ｔ１と計測した時間間隔Ｔ２とを比較する。
【００２４】
このとき、図７に示すようにセット方向が上下逆になっている通帳１が含まれていた場合、磁気センサ２５は上下逆にセットされた通帳１の着色帯３の磁気を走査できないため、図８に示す上下逆にセットされた通帳が含まれていたときの磁気センサ２５の出力波形図に示すように通帳１を検出してから次に通帳１を検出するまでの時間間隔Ｔ２が基準時間間隔Ｔ１よりも大きくなっているため、制御部６は図示しない表示部に通帳スタッカ１８内の通帳１のセット方向が誤っている旨を表示したセット方向エラー通知画面を表示する。
【００２５】
移動する磁気センサ２５が通帳押さえ板１９に当って止まったことを認識した制御部６は、タイマー機能によって最後に通帳１を検出してから通帳押さえ板１９に当って止まるまでの移動時間Ｔ４を認識して記憶部７に格納した規定移動時間Ｔ３を読み出し、認識した移動時間Ｔ４と読み出した規定移動時間Ｔ３とを比較する。
このとき、図９に示すように通帳押さえ板１９の近傍の通帳１が上下逆にセットされていた場合、磁気センサ２５は上下逆にセットされた通帳１の着色帯３の磁気を走査できないため、図１０に示す通帳押さえ板の近傍の通帳が上下逆にセットされたときの出力波形図に示すように移動時間Ｔ４が検出移動時間Ｔ３よりも大きくなるため、制御部６は図示しない表示部にセット方向エラー通知画面を表示する。
【００２６】
なお、着色帯３を設ける位置を通帳背部４の端部寄りにしておけば、図１１に示すように左右が逆になった通帳１がセットされていた場合に、セット方向を誤った通帳１が通帳スタッカ１８に含まれていることを通知できる。
以上説明したように、本実施例では、通帳に対向する磁気センサを着色帯に接触させて走査し、着色帯の磁気の強さを検出し、出力判定回路によって磁気センサの出力値が低出力判定値よりも低くなってから高出力判定値よりも高くなったことを認識、つまり検出した磁気の強弱を認識して通帳を検出し、通帳の冊数を計数するため、係員の手作業による通帳冊数の計数を省くことができるので、係員の負担を減少させて作業効率を向上させることができる。
【００２７】
また、磁気センサにスプリングを取付けて通帳背部を押圧するようにしたので、通帳スタッカに通帳が斜めに格納されて通帳背部の高さが揃っていなく、他の通帳よりも上方に突出した通帳がある場合に、その通帳を押圧して沈めるので、次の通帳を走査するときに磁気センサと通帳背部との間に隙間ができるのを防止し、磁気センサの出力を安定して発生させることもできる。
【００２８】
また、通帳を検出してから次に通帳を検出するまでの時間間隔を計測して記憶部に格納した基準時間間隔と比較し、計測した時間間隔が基準時間間隔よりも長かった場合に通帳のセット方向が誤っている通帳があることを通知し、最後に通帳を検知してから磁気センサが通帳押さえ板まで移動する移動時間を計測して記憶部に格納した規定移動時間と比較し、計測した移動時間が規定移動時間よりも長かった場合に通帳のセット方向が誤っていることを通知するので、通帳スタッカ内の通帳を正しい向きに修正させることができる。
【００２９】
なお、上記実施例１においては、着色帯を磁気インクで印刷することで着色帯の本来の目的である通帳の種類で色分けすることと磁気帯とすることを兼用した場合を例に説明したが、通帳背部に着色帯とは別に磁気インクによって印刷した磁気帯を設けるようにしてもよい。この場合に通帳の左右のセット方向を確認することを目的とするときは通帳背部の中央部を除いて磁気帯を設けるとよい。
【００３０】
また、通帳の種別ごとに通帳スタッカを複数有する場合は、記憶部にそれぞれの通帳スタッカに格納する通帳の厚み情報を格納する。
なお、上記実施例１においては、通帳取扱装置を例に説明したが、媒体取扱装置としてのカード発行機や金融機関の窓口の中で用いられる帯札紙幣取扱装置等に利用するようにしても良く、カード発行機に適用する場合は取引カードを斜めにして格納し、斜めにしたことで出っ張った取引カードの角に磁気帯を設け、磁気センサを磁気帯に接触させるようにする。そして帯札紙幣取扱装置に適用する場合は、帯札を磁気帯にした帯札紙幣を斜めに格納し、斜めに格納したことで出っ張る帯札紙幣の角で磁気センサを帯札に接触させるようにすればよい。
【実施例２】
【００３１】
図１２は実施例２の触針センサを示す説明図で、（ａ）は通常状態を示す説明図、（ｂ）は触針に力が作用して湾曲した状態を示す説明図である。
なお、上記実施例１と同様の部分は、同一の符号を付してその説明を省略する。
図１２において、３０は触針センサであり、検出部としての加速度センサ３１を備えた基材３２にスペーサ３３を介して取付けた触針３４により構成され、基材３２にはスペーサ３３の下方に基材凸部３２ａが形成され、触針３４には基材凸部３２ａに接触する触針凸部３４ａが形成されており、図１２（ｂ）に示すように触針３４が外部からの力で湾曲して触針凸部３４ａが基材凸部３２ａから離れ、湾曲した触針３４が元の形状に戻ったときに触針凸部３４ａが基材凸部３２ａにぶつかったときの振動を加速度センサ３１によって検出し、電圧に変換して出力する。
【００３２】
触針３４は、先端が自由端であって外力が加わったときに湾曲する金属製の帯状の薄板等によって形成され、移動する触針センサ３０が通帳背部４上を通過しているとき通帳背部４に当たって湾曲する。そして触針センサ３０が通帳背部４を通過すると湾曲している触針３４は、その先端が通帳背部４を乗り越えて元の形状に戻る。
記憶部７には、出力判定回路１０によって通帳１を検出するための基準として振動が無いときの触針センサ３０の出力（平常出力という。）に対する低出力判定値と高出力判定値、通帳１の厚み情報等を格納すると共に、触針センサ３０の出力をもとに出力判定回路１０で通帳１を検出する通帳検出処理実行プログラムを格納し、制御部６と通帳検出処理実行プログラムとにより本実施例のハードウェアとしての各種の機能手段が形成される。
【００３３】
上記の構成の作用について、通帳の残冊数計数処理の動作を説明する。
係員が通帳スタッカ１８を取り外して新たに通帳１を補充して通帳取扱装置５に装着した後や１日の業務が終了した後等で通帳スタッカ１８内の通帳１の残冊数を計数する場合、制御部６はモータ駆動回路８によってセンサ移動機構９を駆動し、触針センサ３０を繰出ローラ２１の側の端から通帳押さえ板１９の方に、つまり通帳１の厚さ方向に移動させる。
【００３４】
移動する触針センサ３０が通帳１の上方を通過するとき触針３４は通帳背部４に当接して湾曲し、それによって触針凸部３４ａと基材凸部３２ａとが離れる。そしてさらに触針センサ３０が移動して触針３４の先端が通帳背部４を乗り越えると、湾曲していた触針３４が元の形状に戻り、その際に触針凸部３４ａが基材凸部３２ａに衝突する。
制御部６は、触針センサ３０の加速度センサ３１によって触針凸部３４ａと基材凸部３２ａとが衝突したときの振動を検出し、検出した振動から出力を発生する。このとき発生した出力は図１３に示すような波形となる。
【００３５】
制御部６は、予め記憶部７に格納した低出力判定値と高出力判定値とを読み出し、加速度センサ３１が振動を検出して触針センサ３０が出力を発生したときに、出力判定回路１０によって読み出した低出力判定値または高出力判定値と触針センサ３０の出力との比較を行い、出力が平常出力となったときまでの間、つまり加速度センサ３１が検出した振動が収まったときまでの間に出力が高出力判定値を上回り、かつ低出力判定値を下回ったことを認識することで、出力に変換された振動は通帳１に当接して湾曲した触針３４が元の形状に戻ったときに発生したものであると判定して通帳１を検出し、記憶部７の冊数記憶領域に１を加算して計数する。
【００３６】
触針センサ３０が通帳押さえ板１９まで移動したことで、通帳検出処理が終了すると制御部６は、記憶部７の冊数記憶領域に加算して計数していた通帳冊数を図示しない表示部に表示し、係員によって表示部に表示された内容が確認された後に、冊数記憶領域に加算していた冊数をリセットして０にする。
以上説明したように、本実施例では、触針センサの移動に伴って湾曲した湾曲が元の形状に戻ったときに起こる触針凸部と基材凸部との衝突の振動を出力に変換し、振動が収まるまでの間で出力判定回路によって出力が平常出力になるまでに高出力判定値を上回ってから低出力判定値を下回っていた場合を、通帳に当接して湾曲した触針が元の状態に戻ったものとして通帳を検出し、記憶部の冊数記憶領域に加算して計数、つまり通帳に当接して湾曲した触針と基材との接離を検出した回数によって通帳冊数を計数するため、係員の手作業による通帳冊数の計数を省くことができるので、係員の負担を減少させて作業効率を向上させることができる。
【００３７】
また、湾曲した触針が元の状態に戻ったときの振動から出力を発生させるので、上記実施例１に示すような着色帯を通帳に設ける必要が無く、一般に使用されている通帳を適用することができる。
なお、上記各実施例においては、通帳取扱装置を例に説明したが、媒体取扱装置としてのカード発行機や金融機関の窓口の中で用いられる帯札紙幣取扱装置等に利用するようにしても良い。
【図面の簡単な説明】
【００３８】
【図１】実施例１の通帳を示す説明図
【図２】実施例１の通帳取扱装置を示す構成図
【図３】実施例１の通帳スタッカを示す構成図
【図４】実施例１の通帳スタッカを上方から様子を示す構成図
【図５】実施例１の磁気センサを示す説明図
【図６】実施例１の磁気センサの出力を示す説明図
【図７】通帳が上下逆にセットされている場合を示す説明図
【図８】上下逆にセットされた通帳が含まれていたときの磁気センサの出力波形図
【図９】通帳押さえ板の近傍の通帳が上下逆にセットされた場合を示す説明図
【図１０】通帳押さえ板の近傍の通帳が上下逆にセットされた場合の出力波形図
【図１１】左右逆にセットされた通帳を格納した場合を示す説明図
【図１２】実施例２の触針センサを示す説明図
【図１３】実施例２の触針センサの出力を示す出力波形図
【符号の説明】
【００３９】
１    通帳
２    磁気ストライプ
３    着色帯
４    通帳背部
５    通帳取扱装置
６    制御部
７    記憶部
８    モータ駆動回路
９    センサ移動機構
１０  出力判定回路
１１  通帳挿入部
１１ａ  挿入口
１２  磁気ストライプリードライトユニット
１３  プリント部
１４  印字ヘッド
１５  搬送路
１６  通帳取込箱
１７  通帳一時保留部
１８  通帳スタッカ
１９  通帳押さえ板
２０  バネ
２１  繰出ローラ
２５  磁気センサ
２５ａ、２５ｂ  磁気抵抗素子
２６  スプリング
３０  触針センサ
３１  加速度センサ
３２  基材
３２ａ  基材凸部
３３  スペーサ
３４  触針
３４ａ  触針凸部
【図１】
2007066250.tif 000003
【図２】
2007066250.tif 000004
【図３】
2007066250.tif 000005
【図４】
2007066250.tif 000006
【図５】
2007066250.tif 000007
【図６】
2007066250.tif 000008
【図７】
2007066250.tif 000009
【図８】
2007066250.tif 000010
【図９】
2007066250.tif 000011
【図１０】
2007066250.tif 000012
【図１１】
2007066250.tif 000013
【図１２】
2007066250.tif 000014
【図１３】
2007066250.tif 000015